(57)【特許請求の範囲】
【請求項１】
運用管理保守システム（ＯＡＭ）における、セルアウテージ補償（ＣＯＣ）と容量・カバレージ最適化（ＣＣＯ）を調整するための方法であって、
調整されるべきセルを決定するステップであり、前記調整されるべきセルは、ＣＯＣ動作とＣＣＯ動作の調整を必要とするセルである、決定ステップと、
前記ＣＯＣ動作と前記ＣＣＯ動作の優先度を比較するステップと、
前記ＣＯＣ動作と前記ＣＣＯ動作における高優先度動作と低優先度動作を決定するステップと、
前記調整されるべきセルのために、前記高優先度動作を実行し、前記低優先度動作を一時停止するステップと、
を備え、
前記調整されるべきセルを決定するステップは、
セルにおいて容量またはカバレージの問題が発生し、前記容量またはカバレージの問題が発生している前記セルを対象として前記ＣＣＯ動作が実行される必要があるときに、もし、前記容量またはカバレージの問題が発生している前記セルが、アウテージセル、または、アウテージセルを補償するためのセルであるならば、前記容量またはカバレージの問題が発生している前記セルは調整されるべき前記セルであると決定するステップ
を含む、方法。
【請求項２】
運用管理保守システム（ＯＡＭ）における、セルアウテージ補償（ＣＯＣ）と容量・カバレージ最適化（ＣＣＯ）を調整するための方法であって、
調整されるべきセルを決定するステップであり、前記調整されるべきセルは、ＣＯＣ動作とＣＣＯ動作の調整を必要とするセルである、決定ステップと、
前記ＣＯＣ動作と前記ＣＣＯ動作の優先度を比較するステップと、
前記ＣＯＣ動作と前記ＣＣＯ動作における高優先度動作と低優先度動作を決定するステップと、
前記調整されるべきセルのために、前記高優先度動作を実行し、前記低優先度動作を一時停止するステップと、
を備え、
前記調整されるべきセルを決定するステップは、
容量またはカバレージの問題が発生しているセルのＣＣＯ最適化分析エリア内にセルがあるときに、もし、前記容量またはカバレージの問題が発生している前記セルの前記ＣＣＯ最適化分析エリア内にある前記セルが、アウテージセル、または、アウテージセルを補償するためのセルであるならば、前記容量またはカバレージの問題が発生している前記セルの前記ＣＣＯ最適化分析エリア内にある前記セルは前記調整されるべきセルであると決定するステップ
を含む、方法。
【請求項３】
運用管理保守システム（ＯＡＭ）における、セルアウテージ補償（ＣＯＣ）と容量・カバレージ最適化（ＣＣＯ）を調整するための方法であって、
調整されるべきセルを決定するステップであり、前記調整されるべきセルは、ＣＯＣ動作とＣＣＯ動作の調整を必要とするセルである、決定ステップと、
前記ＣＯＣ動作と前記ＣＣＯ動作の優先度を比較するステップと、
前記ＣＯＣ動作と前記ＣＣＯ動作における高優先度動作と低優先度動作を決定するステップと、
前記調整されるべきセルのために、前記高優先度動作を実行し、前記低優先度動作を一時停止するステップと、
を備え、
前記調整されるべきセルを決定するステップは、
セルを対象としてＣＣＯ動作が実行されているときに、もし、前記ＣＣＯ動作の実行対象である前記セルの容量・カバレージパフォーマンス測定インジケータが、セルアウテージの閾値よりも低いならば、前記ＣＣＯ動作の実行対象である前記セルは前記調整されるべきセルであると決定するステップ
を含む、方法。
【請求項４】
請求項１または２に記載の方法であって、前記アウテージセル、または、前記アウテージセルを補償するための前記セルが通常のセルに復帰した後、当該方法は、
前記調整されるべきセルのための前記低優先度動作を再開するステップをさらに含む、方法。
【請求項５】
請求項１から４のいずれか１項に記載の方法であって、前記ＣＯＣ動作と前記ＣＣＯ動作の優先度を比較し、前記ＣＯＣ動作と前記ＣＣＯ動作における前記高優先度動作と低優先度動作を決定するステップは、
前記ＣＯＣ動作と前記ＣＣＯ動作の予め設定された優先度が存在するか否かを決定するステップと、
前記ＣＯＣ動作と前記ＣＣＯ動作の前記予め設定された優先度が存在するときは、前記予め設定された優先度に従って、前記ＣＯＣ動作および前記ＣＣＯ動作における前記高優先度動作および前記低優先度動作を決定するステップ、または、
前記ＣＯＣ動作と前記ＣＣＯ動作の前記予め設定された優先度が存在しないときは、前記ＣＯＣ動作と前記ＣＣＯ動作のデフォルトの優先度を取得し、前記デフォルトの優先度に従って、前記ＣＯＣ動作および前記ＣＣＯ動作における前記高優先度動作および前記低優先度動作を決定するステップ、とを含む、方法。
【請求項６】
請求項５に記載の方法であって、前記ＣＯＣ動作と前記ＣＣＯ動作の予め設定された優先度が存在するか否かを決定するステップの前に、該方法は、
前記ＣＯＣ動作およびＣＣＯ動作のために構成された優先度情報を受信し、前記優先度情報を前記予め設定された優先度として格納するステップをさらに備える、方法。
【請求項７】
調整装置であって、
調整されるべきセルを決定するように構成された決定ユニットであり、前記調整されるべきセルは、セルアウテージ補償ＣＯＣ動作と容量・カバレージ最適化ＣＣＯ動作の調整を必要とするセルである、決定ユニットと、
前記ＣＯＣ動作と前記ＣＣＯ動作の優先度を比較し、前記ＣＯＣ動作および前記ＣＣＯ動作における高優先度動作と低優先度動作を決定するように構成された、比較ユニットと、
前記調整されるべきセルのために、前記高優先度動作を実行し、前記低優先度動作を一時停止するように構成された調整ユニットと、
を備え、
前記決定ユニットは、
容量またはカバレージの問題がセル内で発生し、前記容量またはカバレージの問題が発生している前記セルを対象として前記ＣＣＯ動作が実行される必要があるときに、もし、前記容量またはカバレージの問題が発生している前記セルが、アウテージセル、または、アウテージセルを補償するためのセル、であるならば、前記容量またはカバレージの問題が発生している前記セルは前記調整されるべきセルであると決定するように構成された決定サブユニット
を備える、調整装置。
【請求項８】
調整装置であって、
調整されるべきセルを決定するように構成された決定ユニットであり、前記調整されるべきセルは、セルアウテージ補償ＣＯＣ動作と容量・カバレージ最適化ＣＣＯ動作の調整を必要とするセルである、決定ユニットと、
前記ＣＯＣ動作と前記ＣＣＯ動作の優先度を比較し、前記ＣＯＣ動作および前記ＣＣＯ動作における高優先度動作と低優先度動作を決定するように構成された、比較ユニットと、
前記調整されるべきセルのために、前記高優先度動作を実行し、前記低優先度動作を一時停止するように構成された調整ユニットと、
を備え、
前記決定ユニットは、
容量またはカバレージの問題が発生しているセルのＣＣＯ最適化分析エリア内にセルがあるときに、もし、前記容量またはカバレージの問題が発生している前記セルの前記ＣＣＯ最適化分析エリア内にある前記セルが、アウテージセル、または、アウテージセルを補償するためのセル、であるならば、前記容量またはカバレージの問題が発生している前記セルの前記ＣＣＯ最適化分析エリア内にある前記セルは前記調整されるべきセルであると決定するように構成された決定サブユニット
を備える、調整装置。
【請求項９】
調整装置であって、
調整されるべきセルを決定するように構成された決定ユニットであり、前記調整されるべきセルは、セルアウテージ補償ＣＯＣ動作と容量・カバレージ最適化ＣＣＯ動作の調整を必要とするセルである、決定ユニットと、
前記ＣＯＣ動作と前記ＣＣＯ動作の優先度を比較し、前記ＣＯＣ動作および前記ＣＣＯ動作における高優先度動作と低優先度動作を決定するように構成された、比較ユニットと、
前記調整されるべきセルのために、前記高優先度動作を実行し、前記低優先度動作を一時停止するように構成された調整ユニットと、
を備え、
前記決定ユニットは、
セルを対象として前記ＣＣＯ動作が実行されているときに、もし、前記ＣＣＯ動作の実行対象である前記セルの容量・カバレージパフォーマンス測定インジケータが、セルアウテージの閾値よりも低いならば、前記ＣＣＯ動作の実行対象である前記セルは前記調整されるべきセルであると決定するように構成された決定サブユニット
を備える、調整装置。
【請求項１０】
請求項７または８に記載の装置であって、該装置は、
前記アウテージセルまたは前記アウテージセルを補償するためのセル、が通常のセルに復帰後、前記調整されるべきセルのための前記低優先度動作を再開するように構成された再開ユニットをさらに備える、装置。
【請求項１１】
請求項７から１０のいずれか１項に記載の装置であって、前記比較ユニットは、
前記ＣＯＣ動作および前記ＣＣＯ動作の予め設定された優先度が存在するか否かを決定するように構成された判定サブユニットと、
前記ＣＯＣ動作および前記ＣＣＯ動作の前記予め設定された優先度が存在すると前記判定サブユニットが決定したときに、前記予め設定された優先度に基づいて、前記ＣＯＣ動作および前記ＣＣＯ動作における前記高優先度動作と前記低優先度動作を決定するように構成された第１の比較サブユニットと、
前記ＣＯＣ動作および前記ＣＣＯ動作の前記予め設定された優先度が存在しないと前記判定サブユニットが決定したときに、前記ＣＯＣ動作および前記ＣＣＯ動作のデフォルトの優先度を取得し、前記デフォルトの優先度に基づいて、前記ＣＯＣ動作および前記ＣＣＯ動作における前記高優先度動作と前記低優先度動作を決定するように構成された第２の比較サブユニットと、を備える、装置。
【請求項１２】
請求項１１に記載の装置であって、該装置は、前記判定サブユニットが、前記ＣＯＣ動作および前記ＣＣＯ動作の前記予め設定された優先度が存在するか否かを決定する前に、前記ＣＯＣ動作および前記ＣＣＯ動作のために構成された優先度情報を受信し、前記優先度情報を前記予め設定された優先度として格納するように構成された設定ユニットを、さらに備える、装置。
【請求項１３】
請求項１から６のいずれか１項に記載の方法をコンピュータに実行させるためのプログラム。
【発明の詳細な説明】
【技術分野】
【０００１】
本発明は、通信の技術分野に関連し、特に、セルアウテージ補償と容量・カバレージ最適化の
調整のための方法および装置に関連する。
【背景技術】
【０００２】
セルのネットワーク資源の最適化は、セルアウテージ補償（Cell  Outage  Compensation、COC）、および、容量・カバレージ最適化（Capacity  and  Coverage  Optimization、CCO）を含む。
【０００３】
セルラ無線通信ネットワークにおいて、異なるカバレージエリアが異なるセルに分けられる。同じエリア内にいる端末は、他のセルからの信号を受信し得るが、一般的には、最高のサービス品質を備えるただ１つのセルが存在する。もし、最高のサービス品質を備えるセルがアウテージしたり、セルのあるサービスが停止したりしたならば、カバレージの穴が出現し、セルは補償される必要がある。もし、セルが補償されないならば、該セルの主なパフォーマンスインジケータ（Key  Performance  Indicator、KPI）は低下させられるであろう。ネットワーク管理者は、ネットワーク全体のデータを解析し、セルに隣接するセルの構成パラメータ（アンテナパラメータ、または、セル送信電力パラメータ、等）を調整して、ＣＯＣと呼ばれる、セルの補償を実行する。セルアウテージ補償中に使用されるアルゴリズムは、ＣＯＣアルゴリズムと呼ばれる。
【０００４】
ネットワークカバレージは、ネットワークの品質の測定の鍵である。セルの無線信号は複数のエリアをカバーし得、そして同時にセルは、セル自身の容量、すなわち、セルおよびセル資源にアクセスすることが許される端末の数、を有する。加えて、セルのカバレージも容量もどちらも、運用管理保守システム（Operation  Administration  and  Maintenance、OAM）等のネットワーク管理システムによって調整されることができる。セルのカバレージエリアが比較的大きいとき、それに応じて、セルによってサポートされる容量は減少する。セルのカバレージまたは容量パラメータの調整はＣＣＯと呼ばれ、セルのカバレージまたは容量パラメータを調整するためのアルゴリズムは、ＣＣＯアルゴリズムと呼ばれる。
【０００５】
従来技術においては、ＣＣＯ動作とＣＯＣ動作とが同時に行われるとき、衝突が生じ、重要な動作の通常の実行が確約されない。
【発明の概要】
【０００６】
従来技術における、ＣＣＯ動作とＣＯＣ動作とが同時に行われるとき、衝突が生じ、重要な動作の通常の実行が確約されないという問題を解決するために、本発明の１つの側面は、ＣＯＣとＣＣＯを調整する方法を提供する。ここで、該方法は：調整されるべきセルを決定するステップであり、調整されるべきセルは、セルアウテージ補償ＣＯＣ動作と容量・カバレージ最適化ＣＣＯ動作の調整を必要とするセルである、決定ステップと、ＣＯＣ動作とＣＣＯ動作の優先度を比較し、ＣＯＣ動作とＣＣＯ動作における高優先度動作および低優先度動作を決定するステップと、調整されるべきセルのために、高優先度動作の実行を継続し、低優先度動作を一時停止するステップと、を含む。
【０００７】
本発明の他の観点は、調整装置を提供する。ここで、調整装置は、調整されるべきセルを決定するように構成された決定ユニットであり、調整されるべきセルは、セルアウテージ補償ＣＯＣ動作と容量・カバレージ最適化動作の調整を必要とするセルである、決定ユニットと、ＣＯＣ動作とＣＣＯ動作の優先度を比較し、ＣＯＣ動作とＣＣＯ動作における高優先度動作と低優先度動作とを決定するように構成された比較ユニットと、調整されるべきセルのために、高優先度動作の実行を継続し、低優先度動作を一時停止するように構成された調整ユニットと、を含む。
【０００８】
上述の技術的ソリューションを使用することにより、調整されるべきセルが決定され、該セルは、ＣＯＣ動作とＣＣＯ動作の調整を必要とするセルであり、ＣＯＣ動作とＣＣＯ動作との優先度が比較され、ＣＯＣ動作とＣＣＯ動作における高優先度動作と低優先度動作が決定され、そして、調整されるべきセルのために、高優先度動作の実行は継続され、低優先度動作の実行は止められる。これは、同じセルに対してＣＯＣ動作とＣＣＯ動作が実行されるときに発生する衝突の問題を効果的に解決し、比較的高い優先度を有するネットワーク最適化動作の通常の実行を確約する。
【図面の簡単な説明】
【０００９】
本発明の実施例における技術的ソリューションをより明確に説明するために、実施例を説明するために必要な添付図面について、以下簡略に紹介する。明らかに、以下の説明における添付図面は、単に本発明のいくつかの実施例を示すに過ぎず、当業者は、これらの添付図面から、創造的努力を要することなく、まだ他の図面を導出し得る。
【００１０】
【図１】本発明の実施例１に従った、ＣＯＣとＣＣＯを調整するための方法のフローチャート
【００１１】
【図２】本発明の実施例２に従った、ＣＯＣとＣＣＯを調整するための方法のフローチャート
【００１２】
【図３】本発明の実施例２に従った、ＣＯＣとＣＣＯを調整するための方法の適用シナリオの概略図
【００１３】
【図４】本発明の実施例３に従った、ＣＯＣとＣＣＯを調整するための方法のフローチャート
【００１４】
【図５】本発明の実施例３に従った、ＣＯＣとＣＣＯを調整するための方法の適用シナリオの概略図
【００１５】
【図６】本発明の実施例４に従った、ＣＯＣとＣＣＯを調整するための方法のフローチャート
【００１６】
【図７】本発明の実施例５に従った、調整装置の構成ブロック図
【００１７】
【図８】本発明の実施例５に従った、調整装置の第２の構成ブロック図
【００１８】
【図９】本発明の実施例５に従った、調整装置の比較ユニットの構成ブロック図
【００１９】
【図１０】本発明の実施例５に従った、調整装置の第３の構成ブロック図
【発明を実施するための形態】
【００２０】
本発明の目的、技術的ソリューション、および利点をより理解しやすくするために、添付図面を参照して本発明の実施例が以下更に説明される。
【００２１】
＜実施例１＞
図１に示されるように、この実施例は、ＣＯＣとＣＣＯとを調整するための方法を提供する。方法は以下の内容を含む：
【００２２】
１０１．調整されるべきセルを決定する。
【００２３】
調整されるべきセルは、ＣＯＣ動作とＣＣＯ動作の調整を必要とするセルである。
【００２４】
１０２．ＣＯＣ動作とＣＣＯ動作の優先度を比較し、ＣＯＣ動作とＣＣＯ動作における
高優先度動作と低優先度動作を決定する。
【００２５】
調整されるべきセルの高優先度動作の実行を継続し、低優先度動作を一時停止する。
【００２６】
さらに、ステップ１０１において、調整されるべきセルを決定するステップは、容量またはカバレージの問題がセル内で発生し、セルのためにＣＣＯ動作が実行される必要があるときに、もし、該セルが、アウテージセル、または、アウテージセルを補償するためのセルであるならば、該セルが調整されるべきセルであると決定するステップ；または、容量またはカバレージの問題が発生している別のセルのＣＣＯ最適化分析エリア内にセルがあり、もし、該セルが、アウテージセル、または、アウテージセルの補償をするためのセルであるならば、該セルは調整されるべきセルであると決定するステップ；または、セルのためにＣＣＯ動作が実行されているときに、もし、該セルの容量・カバレージパフォーマンス測定インジケータが、セルアウテージの閾値よりも低いならば、該セルは調整されるべきセルであると決定するステップ、を含む。それに対応して、アウテージセルまたはアウテージセルを補償するためのセルが通常のセルに復帰した後は、方法はさらに、調整されるべきセルのための低優先度動作を再開するステップを含む。
【００２７】
さらに、ステップ１０２において、ＣＯＣ動作とＣＣＯ動作の優先度を比較し、ＣＯＣ動作とＣＣＯ動作における高優先度動作と低優先度動作を決定するステップは、ＣＯＣ動作とＣＣＯ動作の予め設定された優先度が存在するか否かを決定し、そして、ＣＯＣ動作とＣＣＯ動作の予め設定された優先度が存在するときに、予め設定された優先度に基づいて、ＣＯＣ動作とＣＣＯ動作における高優先度動作と低優先度動作を決定するステップ；または、ＣＯＣ動作とＣＣＯ動作の予め設定された優先度が存在しないときに、ＣＯＣ動作とＣＣＯ動作のデフォルト優先度を取得し、デフォルト優先度に基づいて、ＣＯＣ動作とＣＣＯ動作における高優先度動作と低優先度動作を決定するステップ、を含む。それに対応して、ＣＯＣ動作とＣＣＯ動作の予め設定された優先度が存在するか否かを決定する前に、方法はさらに、ＣＯＣ動作とＣＣＯ動作のために構成された優先度情報を受信し、該優先度情報を、予め設定された優先度として格納するステップを含む。
【００２８】
本発明のこの実施例に基づいてＣＯＣとＣＣＯを調整するための方法は、同じセルのためにＣＯＣ動作とＣＣＯ動作が実行されるときに発生する衝突の問題を効率的に解決することができ、比較的高い優先度を有するネットワーク最適化動作の通常の実行を確約する。
【００２９】
＜実施例２＞
図２に示されるように、この実施例は、ＣＯＣとＣＣＯを調整するための方法を提供し、そして、実施例１の改善である。この実施例において、図３に示されたシナリオが説明のための一例として使用される。ここで、セルＣｅｌｌ１はアウテージセルであり、そして、ＯＡＭが、ＣＯＣアルゴリズムを使用して、セルＣｅｌｌ１の隣接セルＣｅｌｌ３を利用してセルＣｅｌｌ１のためのアウテージ補償を実行する。図２に示される実施例は、具体的に、以下の内容を含む：
【００３０】
２０１．セルＣｅｌｌ３の容量・カバレージパフォーマンス測定インジケータが悪化していることが検出されるとき、容量またはカバレージの問題がセルＣｅｌｌ３において発生していると決定する。
【００３１】
なお、この実施例において、実行本体はＯＡＭであり、セルＣｅｌｌ３の容量・カバレージパフォーマンス測定インジケータの悪化は、セルＣｅｌｌ３の容量・カバレージパフォーマンス測定インジケータが予め設定されたインジケータよりも低いことを意味する。
【００３２】
特に、容量・カバレージパフォーマンス測定インジケータは、セルのセルエッジスループット、セル平均スループット、または、無線資源セットアップ成功率等の、セルのためにＣＣＯ動作が実行されるときに要求される関連パラメータである。
【００３３】
２０２．容量またはカバレージの問題が発生しているセルＣｅｌｌ３のためにＣＣＯ動作が実行される必要があるとき、容量またはカバレージの問題が発生しているセルＣｅｌｌ３が、調整されるべきセルであるか否かを決定する。そして、もし、「はい」であるならば、ステップ２０３を実行する。もし、「いいえ」であるならば、ステップ２０５を実行する。
【００３４】
調整されるべきセルは、ＣＯＣ動作とＣＣＯ動作の調整を必要とするセルである。
【００３５】
なお、容量またはカバレージの問題が発生しているセルＣｅｌｌ３のためにＣＣＯ動作が実行される必要があるとき、もし、その時当該セルが、別のアウテージセルを補償中ならば、ＣＯＣ動作と、実行されるべきＣＣＯ動作との間に衝突が発生する。したがって、容量またはカバレージの問題が発生しているセルが、調整されるべきセルであるか否かが決定される必要があり、それは、具体的には：
容量またはカバレージの問題が発生しているセルが、アウテージセル、または、アウテージセルを補償するためのセルであるか否かを決定する。そして、もし、「はい」であるならば、容量またはカバレージの問題が発生しているセルは調整されるべきセルである。
【００３６】
セルがアウテージセルであるか否かを決定するための方法は、３ＧＰＰ（第３世代パートナーシッププロジェクト、3rd  Generation  Partnership  Project）ネットワーク管理資源モデルにおけるCellOutageCompensationInformationのcOCStatus属性を使用して、セルがアウテージセルであるか否かを決定し、cOCStatus.state=cOCActivatingのとき、セルがアウテージセルであると決定することであり得る。
【００３７】
特に、セルがアウテージセルを補償するためのセルであるか否かを決定するための方法は、既存の通知メッセージを使用することにより取得され得、それ以上の詳細は本明細書では提供されない。
【００３８】
２０３．ＣＯＣ動作とＣＣＯ動作の優先度を比較し、ＣＯＣ動作とＣＣＯ動作における高優先度動作と低優先度動作を決定する。
【００３９】
ステップ２０３は、具体的には：
ＯＡＭにおいて、ＣＯＣ動作とＣＣＯ動作の予め設定された優先度が存在するか否かを決定するステップと；ＣＯＣ動作とＣＣＯ動作の予め設定された優先度が存在するとき、予め設定された優先度に基づいて、ＣＯＣ動作とＣＣＯ動作における高優先度動作と低優先度動作を決定するか；または、ＣＯＣ動作とＣＣＯ動作の予め設定された優先度が存在しないとき、ＣＯＣ動作とＣＣＯ動作のデフォルト優先度を取得し、デフォルト優先度に基づいて、ＣＯＣ動作とＣＣＯ動作における高優先度動作と低優先度動作を決定するステップと、を含む。
【００４０】
この実施例において、ＣＯＣ動作のデフォルト優先度は、ＣＣＯ動作のデフォルト優先度よりも高い。
【００４１】
さらに、ステップ２０３の前に、上記方法は、ＯＡＭが、ＣＯＣ動作とＣＣＯ動作のためにネットワーク管理者によって構成された優先度情報を受信し、該優先度情報を、ＣＯＣ動作とＣＣＯ動作の予め設定された優先度として格納するステップを含み得る。
【００４２】
２０４．セルＣｅｌｌ３のための高優先度動作の実行を継続し、セルＣｅｌｌ３のための低優先度動作を一時停止する。
【００４３】
なお、セルＣｅｌｌ３が、アウテージセル、または、アウテージセルを補償するためのセル、から通常のセルに復帰するとき、上記方法はさらに、セルＣｅｌｌ３のための低優先度動作を再開するステップを含む。
【００４４】
２０５．セルＣｅｌｌ３のためのＣＣＯ動作を実行する。
【００４５】
この実施例に基づいてＣＯＣとＣＣＯを調整するための方法は、以下の問題を効果的に解決することができ、比較的高い優先度を有するネットワーク最適化動作の通常の実行を確約する。問題とは、セルにおいて容量またはカバレージの問題が発生し、該セルのためにＣＣＯ動作が実行される必要があるとき、もし、該セルがまた、アウテージセル、または、アウテージセルを補償するためのセルであるならば、現在のセルのためにＣＯＣ動作とＣＣＯ動作が実行されるときに衝突が発生するという問題である。
【００４６】
＜実施例３＞
図４に示されるように、この実施例は、ＣＯＣとＣＣＯを調整するための方法を提供し、また、実施例１の改良である。実施例３において、図５に示されるシナリオが、説明のための一例として使用される。ここで、セルＣｅｌｌ１はアウテージセルであり、ＯＡＭは、ＣＯＣアルゴリズムを利用して、セルＣｅｌｌ３を使用してセルＣｅｌｌ１のためのアウテージ補償を実行する。すなわち、セルＣｅｌｌ３は、アウテージセルを補償するためのセルである。容量またはカバレージの問題が発生しているセルＣｅｌｌ２のためにＣＣＯ動作が実行されているとき、セルＣｅｌｌ２のために、ＣＣＯ最適化エリアが構築される必要がある。セルＣｅｌｌ２のＣＣＯ最適化エリアは、セルＣｅｌｌ３を含む。
【００４７】
図４において示される実施例は、特に以下の内容を含む：
【００４８】
３０１．セルＣｅｌｌ２の容量・カバレージパフォーマンス測定インジケータが悪化していることが検出されるとき、容量またはカバレージの問題がセルＣｅｌｌ２において発生していると決定する。
【００４９】
なお、この実施例において、実行本体はＯＡＭであり、セルＣｅｌｌ２の容量・カバレージパフォーマンス測定インジケータの悪化は、セルＣｅｌｌ２の容量・カバレージパフォーマンス測定インジケータが予め設定されたインジケータよりも低いことを意味する。
【００５０】
特に、容量・カバレージパフォーマンス測定インジケータは、セルのセルエッジスループット、セル平均スループット、または、無線資源セットアップ成功率等の、セルのためにＣＣＯ動作が実行されるときに要求される関連パラメータである。
【００５１】
３０２．セルＣｅｌｌ２のためにＣＣＯ動作が実行される必要があるとき、セルＣｅｌｌ２のＣＣＯ最適化分析エリア内のセルＣｅｌｌ３が、調整されるべきセルであるか否かを決定し、もし、「はい」であるならば、ステップ３０３を実行し、もし、「いいえ」であるならば、ステップ３０５を実行する。
【００５２】
調整されるべきセルは、ＣＯＣ動作とＣＣＯ動作の調整を必要とするセルである。
【００５３】
セルＣｅｌｌ２のＣＣＯ最適化分析エリア内のセルＣｅｌｌ３が、調整されるべきセルであるか否かを決定するステップは、容量またはカバレージの問題が発生しているセルＣｅｌｌ２のＣＣＯ最適化分析エリア内のセルＣｅｌｌ３が、アウテージセル、または、アウテージセルを補償するためのセルであるか否かを決定し、もし、「はい」であるならば、容量またはカバレージの問題が発生しているセルＣｅｌｌ２のＣＣＯ最適化分析エリア内のセルＣｅｌｌ３は、調整されるべきセルであると決定するステップを含む。
【００５４】
なお、この実施例において、セルＣｅｌｌ２のＣＣＯ最適化分析エリアはセルＣｅｌｌ３を含む。そして、セルＣｅｌｌ３はまた、アウテージセルを補償するためのセルでもあるので、セルＣｅｌｌ３は調整されるべきセルである。
【００５５】
３０３．ＣＯＣ動作とＣＣＯ動作の優先度を比較し、ＣＯＣ動作とＣＣＯ動作における高優先度動作と低優先度動作を決定する。
【００５６】
ステップ３０３は、特に、ＣＯＣ動作とＣＣＯ動作の予め設定された優先度がＯＡＭ内に存在するか否かを決定することを含む。
【００５７】
ＣＯＣ動作とＣＣＯ動作の予め設定された優先度が存在するとき、予め設定された優先度に基づいて、ＣＯＣ動作とＣＣＯ動作における高優先度動作と低優先度動作が決定される。または、ＣＯＣ動作とＣＣＯ動作の予め設定された優先度が存在しないとき、ＣＯＣ動作とＣＣＯ動作のデフォルト優先度が取得され、そして、デフォルト優先度に基づいて、ＣＯＣ動作とＣＣＯ動作における高優先度動作と低優先度動作が決定される。
【００５８】
この実施例において、ＣＯＣ動作のデフォルト優先度は、ＣＣＯ動作のデフォルト優先度よりも高い。
【００５９】
さらに、ステップ３０３の前に、上記方法はさらに、ＯＡＭが、ＣＯＣ動作とＣＣＯ動作のためにネットワーク管理者によって構成された優先度情報を受信し、該優先度情報を、ＣＯＣ動作とＣＣＯ動作の予め設定された優先度として格納するステップを含み得る。
【００６０】
３０４．セルＣｅｌｌ３のための高優先度動作の実行を継続し、セルＣｅｌｌ３のための低優先度動作を一時停止する。
【００６１】
なお、セルＣｅｌｌ３が、アウテージセル、または、アウテージセルを補償するためのセル、から通常のセルに復帰するとき、上記方法はさらに、セルＣｅｌｌ３のための低優先度動作を再開するステップを含む。
【００６２】
３０５．セルＣｅｌｌ３のためのＣＣＯ動作を実行する。
【００６３】
この実施例に基づいてＣＯＣとＣＣＯを調整するための方法は、以下の問題を効果的に解決することができ、比較的高い優先度を有するネットワーク最適化動作の通常の実行を確約する。問題とは、容量またはカバレージの問題が発生している別のセルのＣＣＯ最適化分析エリア内に現在のセルがあり、現在のセルがまた、アウテージセル、または、アウテージセルを補償するためのセルであるとき、現在のセルのためにＣＯＣ動作とＣＣＯ動作が実行されるときに衝突が発生するという問題である。
【００６４】
＜実施例４＞
図６に示されるように、この実施例は、ＣＯＣとＣＣＯを調整するための方法を提供し、また、実施例１の改良である。該方法は特に以下の内容を含む：
【００６５】
４０１．セルＣｅｌｌ１のためにＣＣＯ動作が実行された後、セルＣｅｌｌ１の容量・カバレージパフォーマンス測定インジケータをリアルタイムで検出する。
【００６６】
なお、この実施例において、実行本体はＯＡＭである。
【００６７】
特に、容量・カバレージパフォーマンス測定インジケータは、セルのセルエッジスループット、セル平均スループット、または、無線資源セットアップ成功率等の、セルのためにＣＣＯ動作が実行されるときに要求される関連パラメータである。
【００６８】
４０２．セルＣｅｌｌ１の容量・カバレージパフォーマンス測定インジケータが悪化し続けるとき、セルＣｅｌｌ１が調整されるべきセルであるか否かを決定し、もし、「はい」であるならば、４０３を実行し、もし、「いいえ」であるならば、４０５を実行する。
【００６９】
セルＣｅｌｌ１の容量・カバレージパフォーマンス測定インジケータが悪化し続けるとき、セルＣｅｌｌ１が調整されるべきセルであるか否かを決定するステップは、セルＣｅｌｌ１の容量・カバレージパフォーマンス測定インジケータが悪化し続けるとき、セルＣｅｌｌ１の容量・カバレージパフォーマンス測定インジケータがセルアウテージ検出の閾値よりも低いか否かを決定し、もし、「はい」であるならば、セルＣｅｌｌ１は調整されるべきセルであると決定するステップを含む。
【００７０】
なお、セルＣｅｌｌ１の容量・カバレージパフォーマンス測定インジケータが悪化し続け、セルアウテージ検出の閾値よりも低いとき、セルＣｅｌｌ１は、アウテージセルとして決定され得、セルＣｅｌｌ１のためにＣＯＣ動作が実行される必要があり、この場合には、セルＣｅｌｌ１のために実行されるＣＣＯ動作は無意味である。
【００７１】
４０３．ＣＯＣ動作とＣＣＯ動作の優先度を比較し、ＣＯＣ動作とＣＣＯ動作における高優先度動作と低優先度動作を決定する。
【００７２】
ステップ４０３は、特に、ＣＯＣ動作とＣＣＯ動作の予め設定された優先度がＯＡＭ内に存在するか否かを決定するステップを含む。
【００７３】
ＣＯＣ動作とＣＣＯ動作の予め設定された優先度が存在するとき、予め設定された優先度に基づいて、ＣＯＣ動作とＣＣＯ動作における高優先度動作と低優先度動作が決定される。または、ＣＯＣ動作とＣＣＯ動作の予め設定された優先度が存在しないとき、ＣＯＣ動作とＣＣＯ動作のデフォルト優先度が取得され、デフォルト優先度に基づいて、ＣＯＣ動作とＣＣＯ動作における高優先度動作と低優先度動作が決定される。
【００７４】
この実施例において、ＣＯＣ動作のデフォルト優先度は、ＣＣＯ動作のデフォルト優先度よりも高い。
【００７５】
さらに、ステップ４０３の前に、上記方法はさらに、ＯＡＭが、ＣＯＣ動作とＣＣＯ動作のためにネットワーク管理者によって構成された優先度情報を受信し、該優先度情報を、ＣＯＣ動作とＣＣＯ動作の予め設定された優先度として格納するステップを含み得る。
【００７６】
４０４．セルＣｅｌｌ１のための高優先度動作の実行を継続し、セルＣｅｌｌ１のための低優先度動作を一時停止する。
【００７７】
４０５．セルＣｅｌｌ１のためのＣＣＯ動作の実行を継続する。
【００７８】
この実施例に基づいてＣＯＣとＣＣＯを調整するための方法は、以下の問題を効果的に解決することができ、無効な動作を避け、比較的高い優先度を有するネットワーク最適化動作の通常の実行を確約する。問題とは、現在のセルのためにＣＣＯ動作が実行され、しかし、現在のセルの容量・カバレージパフォーマンス測定インジケータが悪化し続け、セルアウテージの閾値よりも低いとき、現在のセルのために、ＣＯＣ動作とＣＣＯ動作が同時に実行されるときに衝突が発生するという問題である。
【００７９】
＜実施例５＞
図７に示されるように、本発明のこの実施例は、調整装置を提供する。ここで、調整装置は、決定ユニット５０１、比較ユニット５０２、および、調整ユニット５０３を含み、
決定ユニット５０１は、調整されるべきセルを決定するように構成され、調整されるべきセルは、ＣＯＣ動作とＣＣＯ動作の調整を必要とするセルであり、比較ユニット５０２は、ＣＯＣ動作とＣＣＯ動作の優先度を比較し、ＣＯＣ動作とＣＣＯ動作における高優先度動作と低優先度動作を決定するように構成され、調整ユニット５０３は、調整されるべきセルのための高優先度動作の実行を継続し、低優先度動作を一時停止する。
【００８０】
さらに、決定ユニット５０１は、特に：セルにおいて容量またはカバレージの問題が発生し、該セルのためにＣＣＯ動作が実行される必要があるとき、もし、該セルが、アウテージセル、または、アウテージセルを補償するためのセルであるならば、該セルは調整されるべきセルであると決定するように構成された第１の決定サブユニット５０１１か；セルが、容量またはカバレージの問題が発生しているセルのＣＣＯ最適化分析エリアにあるとき、もし、該セルが、アウテージセル、または、アウテージセルを補償するためのセルであるならば、該セルは調整されるべきセルであると決定するように構成された第２の決定サブユニット５０１２か；または、セルのためにＣＣＯ動作が実行されているとき、もし、該セルの容量・カバレージパフォーマンス測定インジケータが、セルアウテージの閾値よりも低いならば、該セルは調整されるべきセルであると決定するように構成された第３の決定サブユニット５０１３、を含む。
【００８１】
さらに、図８に示されるように、該装置は：アウテージセルまたはアウテージセルを補償するためのセルが通常のセルに復帰した後、調整されるべきセルのための低優先度動作を再開するように構成された再開ユニット５０４をさらに備え得る。
【００８２】
さらに、図９に示されるように、比較ユニット５０２は、特に：判定サブユニット５０２１、第１の比較サブユニット５０２２、および、第２の比較サブユニット５０２３を含み得る。判定サブユニット５０２１は、ＣＯＣ動作およびＣＣＯ動作の予め設定された優先度が存在するか否かを決定するように構成され、第１の比較サブユニット５０２２は、判定サブユニット５０２１が、ＣＯＣ動作およびＣＣＯ動作の予め設定された優先度が存在すると決定するとき、予め設定された優先度に基づいて、ＣＯＣ動作とＣＣＯ動作における高優先度動作と低優先度動作を決定するように構成され、第２の比較サブユニット５０２３は、判定サブユニット５０２１が、ＣＯＣ動作およびＣＣＯ動作の予め設定された優先度が存在しないと決定するとき、ＣＯＣ動作とＣＣＯ動作のデフォルト優先度を取得し、デフォルト優先度に基づいて、ＣＯＣ動作とＣＣＯ動作における高優先度動作と低優先度動作を決定するように構成される。
【００８３】
さらに、図１０に示されるように、該装置は：ＣＯＣ動作とＣＣＯ動作の予め設定された優先度が存在するか否かを判定サブユニット５０２１が決定する前に、ＣＯＣ動作とＣＣＯ動作のために構成された優先度情報を受信し、該優先度情報を、予め設定された優先度として格納する設定ユニット５０５を、さらに含み得る。
【００８４】
この実施例において提供される調整装置の特定の動作処理のために、上述の方法実施例の内容が参照され得る。そして、さらなる詳細は本明細書において提供されない。
【００８５】
この実施例において提供される調整装置は、同じセルのためにＣＯＣ動作とＣＣＯ動作が実行されるときに発生する衝突の問題を効果的に解決することができ、比較的高い優先度を有するネットワーク最適化動作の通常の実行を確約する。
【００８６】
当業者は、上述の実施例のステップのすべてまたは一部がハードウェアによって実現され得、または、関連するハードウェアに命令するプログラムによって実現され得ることを理解し得る。該プログラムは、コンピュータ可読記憶媒体に格納され得る。記憶媒体は、リードオンリーメモリ、磁気ディスク、または光ディスクであり得る。
【００８７】
上述の説明は、本発明の単なる例示的な実施例に過ぎず、本発明を限定することを意図するものではない。本発明の原理内で導出される、いかなる変更、均等の置換、または改良は、すべて、本発明の保護範囲に該当する。
【００８８】
本出願は、２０１１年９月３０日に中国特許庁に出願された『セルアウテージ補償と容量・カバレージ最適化の調整のための方法および装置』と題する中国特許出願Ｎｏ．２０１１１０２９３５５５２．２の優先権を主張し、該出願は、その全体が参照により本明細書に組み込まれる。
【図１】
0005862990.tif 000002
【図２】
0005862990.tif 000003
【図３】
0005862990.tif 000004
【図４】
0005862990.tif 000005
【図５】
0005862990.tif 000006
【図６】
0005862990.tif 000007
【図７】
0005862990.tif 000008
【図８】
0005862990.tif 000009
【図９】
0005862990.tif 000010
【図１０】
0005862990.tif 000011